(57)【要約】  【課題】本発明の目的は、撮影画角を合わせてビデオカメラを置いた後にユーザーが操作することなくタッチパネルをホバーモードへ移行する撮像装置の制御方法を提供することである。  【解決手段】本発明は、装置本体と撮像手段と記録手段と映像表示を行う表示手段とユーザーからの入力を検出するとともに、入力を検出する感度を設定可能なタッチ入力検知装置と装置本体の振動を検知する振動検知センサを備え、前記振動検知センサにより、装置本体が静止している状態を検知した場合に、前記タッチ入力検知装置の検出感度を高くするように制御することを特徴とする。【選択図】図１
2018042153.tif 000002
【特許請求の範囲】
【請求項１】
装置本体と、
撮像手段と、
記録手段と、
映像表示を行う表示手段と、
ユーザーからの入力を検出するとともに、入力を検出する感度を設定可能なタッチ入力検知装置と、
装置本体の振動を検知する振動検知センサを備え、
前記振動検知センサにより、装置本体が静止している状態を検知した場合に、前記タッチ入力検知装置の検出感度を高くするように制御する制御手段を有する撮像装置。
【請求項２】
前記表示手段にＵＩを表示する手段と、
前記ＵＩの表示を切り替える手段を備え、
前記振動検知センサにより、装置本体が静止している状態を検知した場合に、前記タッチ入力検知装置の検出感度を高くし、かつＵＩの表示を切り替えるように制御する制御手段を有する請求項１に記載の撮像装置。
【請求項３】
前記表示手段は撮影者側あるいは被写体側に反転自在に設けられ、
前記表示手段が撮影者側あるいは被写体側に反転している反転状態を検出する反転状態検出手段を備え、
前記振動検知センサにより、装置本体が静止している状態を検知し、かつ前記表示手段が被写体側に反転状態の場合に、前記タッチ入力検知装置の検出感度を高くするように制御する制御手段を有する請求項１に記載の撮像装置。
【請求項４】
撮像本体に撮像本体の角度を調整する開閉自在のスタンド機構と、
前記スタンドの開閉角度を検出する開閉角度検出手段を備え、
前記振動検知センサにより、装置本体が静止している状態を検知し、かつ前記スタンドの開閉角度検出手段が所定の角度を超える角度を検出した場合に、前記タッチ入力検知装置の検出感度を高くするように制御する制御手段を有する請求項１に記載の撮像装置。
【請求項５】
前記タッチ入力検知装置により、ユーザーが文字や絵を描くタッチデコレーションモードと、
通常モードとタッチデコレーションモードとを切り替える手段を備え、
前記振動検知センサにより、装置本体が静止している状態を検知し、かつタッチデコレーションモードでない場合に、前記タッチ入力検知装置の検出感度を高くするように制御する制御手段を有する請求項１に記載の撮像装置。
【発明の詳細な説明】
【技術分野】
【０００１】
本発明は、撮像装置に関するものである。
【背景技術】
【０００２】
現在、表示装置と、表示装置の表示画面上に設けられた位置検出装置とを備えたタッチパネルを備えたビデオカメラが普及している。タッチパネルを利用した入力装置では、指や専用のペンを表示画面に接触させて位置情報を入力することにより端末装置の所定の操作を行っている。タッチパネルとしては、抵抗膜方式や静電容量方式などの方式がある。このうち静電容量方式のタッチパネルは、厚さを薄くすることができかつパネル自体の形状の自由度も高いことから、入力装置として広く採用されている。静電容量方式は接触したときの指とセンサとの間に生じる静電容量に基づいた位置情報を検出することにより、所定の処理を行う。
【０００３】
また静電容量は指とセンサとの距離に反比例して変化する。そのため離れた距離でも検出できるようセンサの検出感度を高くしたホバーモードがある。手袋をした指を検知する場合などに用いる。特許文献１は特定の一部の領域をタッチしながら操作する場合にホバーモードに切り替えている。
【０００４】
また近年ビデオカメラも軽量化や薄型化が進み、手軽に置き撮りで趣味/関心事を撮ることができる図３に示すようなあたらしいデザインのビデオカメラが普及している。前記ビデオカメラは液晶画面やスタンドを調整して、さまざまな姿勢で置いて撮影することができる。
【先行技術文献】
【特許文献】
【０００５】
【特許文献１】特開2011-54213号公報
【発明の概要】
【発明が解決しようとする課題】
【０００６】
しかしながら、上述のビデオカメラは表示画面上のタッチパネルを操作してカメラ操作を行う。そのため撮影画角を合わせてビデオカメラを置いた後に、撮影開始等の操作のためタッチパネルに指で触れるとビデオカメラが触れた衝撃で動いてしまい、合わせた画角がずれてしまう。
【０００７】
また指が触れなくても操作できるホバーモードを設けても、先行技術では特定の一部の領域をタッチしなければならないため、やはりビデオカメラが動いてしまうし、ホバーモードへの切り替え作業のユーザー操作が必要となってしまう。常時ホバーモードに設定するとセンサー感度が高すぎるため、検出位置制度が低下し誤検出や線を書くなどのお絵かきモード時の線が歪んだりする誤動作を起こす。そのためビデオカメラを置いた場合のみホバーモードに切り替える必要がある。
【０００８】
そこで、本発明の目的は、撮影画角を合わせてビデオカメラを置いた後にユーザーが操作することなくタッチパネルをホバーモードへ移行する撮像装置の制御方法を提供することである。
【課題を解決するための手段】
【０００９】
上記目的を達成するために、本発明は、装置本体と撮像手段と記録手段と映像表示を行う表示手段とユーザーからの入力を検出するとともに、入力を検出する感度を設定可能なタッチ入力検知装置と装置本体の振動を検知する振動検知センサを備え、前記振動検知センサにより、装置本体が静止している状態を検知した場合に、前記タッチ入力検知装置の検出感度を高くするように制御することを特徴とする。
【発明の効果】
【００１０】
本発明によれば、振動検知センサによりビデオカメラの置き撮りを検知してタッチパネルのセンシングモードをユーザー操作なくホバーモードに移行することができる。ユーザーは置き撮りの状態でタッチパネルに触れることなくカメラ操作が行えるため、ビデオカメラが動かず画角がずれることなく撮影することができる。
【図面の簡単な説明】
【００１１】
【図１】本発明の実施例1における撮像装置の構成を示すブロック図である。
【図２】本発明の実施例1における撮像装置の構成例を説明する外観斜視図である。
【図３】本発明の実施例1における撮像装置の構成例を説明する外観斜視図である。
【図４】本発明の実施例1における撮像装置の構成例を説明する外観斜視図である。
【図５】本発明の実施例1におけるヒンジ構造を説明する外観図である。
【図６】本発明の実施例1におけるスタンド構造を説明する外観図である。
【図７】本発明の実施例における撮像装置の動作手順を示すフローチャートである。
【図８】本発明の実施例におけるＵＩ表示例である。
【図９】本発明の実施例２における撮像装置の構成を示すブロック図である。
【図１０】本発明の実施例２における撮像装置の動作手順を示すフローチャートである。
【図１１】本発明の実施例２におけるヒンジ開閉角度を説明する図である。
【発明を実施するための形態】
【００１２】
以下に、本発明の好ましい実施の形態を、添付の図面に基づいて詳細に説明する。以下、図１〜図１１を参照して、本発明の各実施例の動作を説明する。
【００１３】
＜第１の実施形態＞
以下、本発明の第1の実施例による撮像装置の構成について説明する。図２〜図４に、第１の実施例における撮像装置の構成例を説明する外観斜視図を示す。図５、図６に、第１の実施例におけるヒンジ構造、スタンド構造を説明する外観図を示す。図２において、２０１はビデオカメラ本体、２０２はレンズである。１０２は電源スイッチ、１０５は液晶表示部である。
【００１４】
第１の実施例におけるビデオカメラは、カメラ本体２０１の前部にレンズ２０２、その上部に表示手段である液晶表示部１０５を有する。撮影された被写体の映像表示を行う表示手段である液晶表示部１０５は、被写体側あるいは撮影者側に反転自在に設けられている。
【００１５】
具体的には、この液晶表示部１０５は、再生映像や撮影映像を表示可能な液晶パネル１０７、およびこの液晶パネル１０７の後部に設けられたバックライトを有するパックライト方式の液晶表示装置によって構成される。また液晶パネル１０７の前面には静電容量方式のタッチパネル１０６が設けられており、ユーザーはこのタッチパネル１０６をタッチしビデオカメラ本体２０１の操作、設定を行う。
【００１６】
そして、この液晶表示部１０５は、図３に示すヒンジ部３０１によりカメラ本体２０１に取り付けられており、図中矢印Ａ方向に回転自在とされている。
【００１７】
具体的には図５に示すように、ヒンジ部３０１が図中矢印Ｂ方向に開閉自在で、液晶表示部１０５は、図中矢印Ａ方向に回転自在とされている。
【００１８】
従って、液晶表示部１０５は被写体側あるいは撮影者側に反転自在である。また図４においてビデオカメラ本体２０１の底面には開閉できるスタンド３０２が設けられており、スタンド３０２を開閉することによりビデオカメラ本体の角度を調整することができる。具体的には図６に示すように、スタンド３０２が図中矢印Ｃ方向に開閉自在とされている。
【００１９】
電源スイッチ１０２は、ビデオカメラ本体２０１の電源をＯＮ／ＯＦＦ操作する切替スイッチである。
【００２０】
つぎに、第１の実施例の撮像装置におけるシステム制御の構成について説明する。
図１に、第１の実施例における撮像装置におけるシステム制御の構成を説明する回路ブロック図を示す。
【００２１】
図１に示されるように、第１の実施例におけるビデオカメラは、映像と音声入力をおこなう映像音声入力１１１と撮影した画像データに対し必要な信号処理を行う映像・音声信号処理部１１２と映像・音声信号処理部１１２からの信号に対してフォーマット変換やＯＳＤ重畳を行うデジタル信号処理部１１０、および信号処理された画像データを記録再生する記録再生部１１３を有する。
【００２２】
また、映像・音声信号処理部１１２には、撮像素子、Ａ／Ｄ変換機等（不図示）を有する。また、システム制御手段１０１には、液晶パネル１０７が接続されており、液晶パネル１０７に表示する画像の出力制御を行う。また、システム制御手段１０１には、液晶パネル１０７の後部に設けられた液晶バックライト１０８の電流制御する電源回路１０９が接続されており、液晶バックライト１０８の制御を行う。
【００２３】
また、システム制御手段１０１には、タッチパネル１０６が接続されており、タッチパネル１０６からの入力情報によりビデオカメラ本体２０１の制御を行う。またタッチパネル１０６のセンサー感度の通常感度モードとホバーモード（高感度モード）の切り替えを行う。さらに、電源スイッチ１０２、振動感知センサー１０３が接続されている。
振動感知センサー１０３はビデオカメラ本体２０１の振動を検知する。
【００２４】
以下、フローチャートと図を参照して、本発明の第１の実施例の動作を説明する。図７は第１の実施例における撮像装置の動作を示すフローチャートである。
【００２５】
本処理は、システム制御部１０１によって実行される。図７において電源スイッチ１０２によって電源が投入されると、Ｓ７０１では撮影モードであるか否かを判定する。撮影モードの場合はＳ７０２ へ進み、撮影モードでない場合はＳ７０１に戻る。
【００２６】
Ｓ７０２ではまず、撮影待機処理を行う。撮影待機の処理では、映像音声入力１１１で撮影された画像を逐次液晶表示部１０５に表示するスルー画像表示を行う。撮影待機時のタッチパネル１０６のセンサー感度は通常感度モードに設定されており、表示されるＯＳＤも図８に示す通常ＵＩを表示する。ユーザーは液晶表示部１０５に表示されたスルー画像表示を見ながら、ヒンジ部３０１およびスタンド３０２の角度を調整して撮影する画角を調整する。
またタッチパネル１０６を操作してビデオカメラ２０１の設定を行う。
【００２７】
Ｓ７０３ではビデオカメラ２０１が置き撮り状態か否かを判定する。置き撮り状態の判定はシステム制御部１０１が振動検知センサー１０３からの検出値からビデオカメラ本体２０１が静止状態か否かにより判定する。置き撮り状態の場合はＳ７０４に進む。置き撮り状態でない場合はＳ７０２に戻る。
【００２８】
Ｓ７０４ではタッチパネル１０６のセンサー感度をホバーモード（高感度モード）に移行する。ホバーモードに移行することにより、表示面から離れた距離でも指を検知することができるため、画面に触れなくでもタッチパネルが反応する。本実施例では画面から5mmまでの距離を検知するようにセンサー感度を設定する。
【００２９】
Ｓ７０５では液晶表示部１０５に表示されるＯＳＤを図８に示すホバーモード用ＵＩに変更する。ホバーモード用ＵＩはユーザーにホバーモードであることを通知するメッセージが表示されている。またホバーモードでの誤操作を防止するために操作アイコンを離した位置に配置する。またアイコンを浮きあがったデザインにしてホバーモードであり、画面を直接触れないようにユーザーに直観的に分らせる。
【００３０】
Ｓ７０６ではＳ７０３同様ビデオカメラ２０１が置き撮り状態か否かを判定する。置き撮り状態の場合はＳ７０５に戻る。置き撮り状態でない場合、つまりユーザーがビデオカメラ２０１を手に取った、もしくはビデオカメラ２０１および液晶表示部１０５に触れて振動を検知した場合はＳ７０７に進む。
【００３１】
Ｓ７０７ではタッチパネル１０６のセンサー感度をホバーモードから通常モードに移行する。Ｓ７０８では液晶表示部１０５に表示されるＯＳＤを図８に示す通常モード用ＵＩに変更する。
【００３２】
このように、本実施例によれば、振動検知センサによりビデオカメラの置き撮りを検知してタッチパネルのセンシングモードをユーザー操作なくホバーモードに移行することができる。ユーザーは置き撮りの状態でタッチパネルに触れることなくカメラ操作が行えるため、撮影開始等の操作でビデオカメラが動かず画角がずれることなく撮影することができる。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００３４】
＜第２の実施形態＞
以下、本発明の第２の実施例における撮像装置の構成について説明する。本発明の第２の実施例における撮像装置の構成については第１の実施例と同等のため説明を省略する。
【００３５】
つぎに、第２の実施例の撮像装置におけるシステム制御の構成について説明する。
図９に、第２の実施例における撮像装置におけるシステム制御の構成を説明する回路ブロックを示す。第１の実施例と同等部分については説明を省略する。
【００３６】
システム制御手段１０１には角度を検出するホール素子等の反転検出センサー９０１が接続されており、液晶表示部１０５が被写体側に反転しているか、撮影者側に向いているかを検出する。反転検出センサーはヒンジ部３０１に備え付けられており、ヒンジ部３０１の角度と液晶表示部１０５の角度により判定する。
【００３７】
またシステム制御手段１０１にはスタンド３０２に備え付けられたホール素子等のスタンド開閉センサー９０２が接続されており、スタンド９０２の開閉角度を検出する。またデジタル信号処理部１１０ではユーザーがタッチパネル１０６上で文字やスタンプを入力した情報を基に映像信号にユーザーが描いた文字やスタンプを重畳して記録、および液晶表示部１０５に表示するタッチデコレーション機能を備えている。
【００３８】
以下、フローチャートと図を参照して、本発明の第２の実施例の動作を説明する。図１０は第２の実施例における撮像装置の動作を示すフローチャートである。
【００３９】
本処理は、システム制御部１０１によって実行される。図１０において電源スイッチ１０２によって電源が投入されると、Ｓ１００１では撮影モードであるか否かを判定する。撮影モードの場合はＳ１００２ へ進み、撮影モードでない場合はＳ１００１に戻る。
【００４０】
Ｓ１００２ではまず、撮影待機処理を行う。撮影待機の処理では、映像音声入力１１１で撮影された画像を逐次液晶表示部１０５に表示するスルー画像表示を行う。撮影待機時のタッチパネル１０６のセンサー感度は通常感度モードに設定されており、表示されるＯＳＤも図８に示す通常ＵＩを表示する。ユーザーは液晶表示部１０５に表示されたスルー画像表示を見ながら、ヒンジ部３０１およびスタンド３０２の角度を調整して撮影する画角を調整する。またタッチパネル１０６を操作してビデオカメラ２０１の設定を行う。
【００４１】
Ｓ１００３ではビデオカメラ２０１が置き撮り状態か否かを判定する。置き撮り状態の判定はシステム制御部１０１が振動検知センサー１０３からの検出値からビデオカメラ本体２０１が静止状態か否かにより判定する。置き撮り状態の場合はＳ１００４に進む。置き撮り状態でない場合はＳ１００２に戻る。
【００４２】
Ｓ１００４では液晶表示部１０５が被写体側に反転しているか反転検出センサー９０１により判定する。液晶表示部１０５が被写体側に反転している場合は、Ｓ１００５に進む。被写体側に反転していない場合はＳ１００４に戻る。
【００４３】
Ｓ１００５ではスタンド開閉検出センサー９０２によりスタンド３０２が図１１のスタンド３０２の開閉角度がαより大きいか否かを判定する。スタンド３０２の開閉角度がαより大きい場合はＳ１００６に進む。開閉角度がαより小さい場合はＳ１００４に戻る。
【００４４】
Ｓ１００６ではタッチパネル入力によるタッチデコレーションが行えるタッチデコモードか否かを判定する。タッチデコモードでない場合はＳ１００７に進む。タッチデコモードの場合はＳ１００４に戻る。
【００４５】
Ｓ１００７ではタッチパネル１０６のセンサー感度をホバーモード（高感度モード）に移行する。ホバーモードに移行することにより、表示面から離れた距離でも指を検知することができるため、画面に触れなくでもタッチパネルが反応する。本実施例では画面から5mmまでの距離を検知するようにセンサー感度を設定する。
【００４６】
Ｓ１００８では液晶表示部１０５に表示されるＯＳＤを図８に示すホバーモード用ＵＩに変更する。ホバーモード用ＵＩはユーザーにホバーモードであることを通知するメッセージが表示されている。またホバーモードでの誤操作を防止するために操作アイコンを離した位置に配置する。またアイコンを浮きあがったデザインにしてホバーモードであり、画面を直接触れないようにユーザーに直観的に分らせる。
【００４７】
Ｓ１００９ではＳ１００３同様ビデオカメラ２０１が置き撮り状態か否かを判定する。置き撮り状態の場合はＳ１００４に戻る。置き撮り状態でない場合、つまりユーザーがビデオカメラ２０１を手に取った、もしくはビデオカメラ２０１および液晶表示部１０５に触れて振動を検知した場合はＳ１０１０に進む。
【００４８】
Ｓ１０１０ではタッチパネル１０６のセンサー感度をホバーモードから通常モードに移行する。
【００４９】
Ｓ１０１１では液晶表示部１０５に表示されるＯＳＤを図８に示す通常モード用ＵＩに変更する。
【００５０】
このように、本実施例によれば、ホバーモードを必要とする液晶表示部を被写体側に向けて自分を置き撮りする場合のみホバーモードへ移行することができる。またスタンド３０２の開閉角度によりホバーモードへ移行するか否かが決まる。スタンドの開閉角度によりビデオカメラ２０１の安定度が変わるため、タッチパネル１０６に触れた際にビデオカメラ２０１が動いてしまう安定度が低い場合のみホバーモードへ移行することができる。またホバーモードでは不適合が起こるタッチデコレーションモードの場合はホバーモードへ移行しないように制御することができる。
【００５１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５２】
１０１‥‥システム制御部
１０２‥‥電源スイッチ
１０３‥‥振動検知センサ
１０５‥‥液晶表示装置
１０６‥‥タッチパネル
１０７‥‥液晶パネル
１０８‥‥バックライト
１０９‥‥電源回路
１１０‥‥デジタル信号処理部
１１１‥‥映像・音声入力
１１２‥‥映像・音声信号処理部
１１３‥‥記録再生部
２０１‥‥ビデオカメラ本体
２０２‥‥レンズ
３０１‥‥ヒンジ部
３０２‥‥スタンド
【図１】
2018042153.tif 000003
【図２】
2018042153.tif 000004
【図３】
2018042153.tif 000005
【図４】
2018042153.tif 000006
【図５】
2018042153.tif 000007
【図６】
2018042153.tif 000008
【図７】
2018042153.tif 000009
【図８】
2018042153.tif 000010
【図９】
2018042153.tif 000011
【図１０】
2018042153.tif 000012
【図１１】
2018042153.tif 000013